(57)【要約】【課題】制御用ＩＣからバスラインに混入するノイズ成分を除去すると共に、正確な制御信号を伝送することができ、誤動作を無くした高周波受信器を提供すること。【解決手段】回路基板２３上にパターンで形成されたＳＣＬ信号用のＳＣＬバスライン１１およびＳＤＡ信号用のＳＤＡバスライン１２を介して制御される高周波受信器であって、ＳＣＬバスライン１１およびＳＤＡバスライン１２に混入するノイズ成分に対してインピーダンスの低い電源ライン１７が回路基板２３上にパターンで形成され、電源ライン１７とＳＣＬバスライン１１およびＳＤＡバスライン１２とを所定の間隔を空けて交差させて、電源ライン１７とＳＣＬバスライン１１およびＳＤＡバスライン１２との交差部分に寄生容量を形成するよう構成した。【選択図】図１
2010034627.tif 000002
【特許請求の範囲】
【請求項１】
回路基板上にパターンで形成された制御信号用のバスラインを介して制御される高周波受信器であって、
前記バスラインに混入するノイズ成分に対してインピーダンスの低い低インピーダンスラインが前記回路基板上にパターンで形成され、前記低インピーダンスラインと前記バスラインとを所定の間隔を空けて交差させて、前記低インピーダンスラインと前記バスラインとの交差部分に寄生容量を形成することを特徴とする高周波受信器。
【請求項２】
前記低インピーダンスラインは、前記回路基板のグランドパターン又は高周波的に接地されたパターンであることを特徴とする請求項１に記載の高周波受信器。
【請求項３】
前記バスラインを構成するパターンの一部が切断されており、前記バスラインの切断箇所に前記低インピーダンスラインが交差し、前記低インピーダンスラインを跨いだ状態で前記バスラインの切断箇所を接続素子で接続したことを特徴とする請求項１または請求項２に記載の高周波受信器。
【請求項４】
前記低インピーダンスラインは、バイパスコンデンサを介してグランドに接続されている電源ラインパターンであることを特徴とする請求項１ないし請求項３のいずれかに記載の高周波受信器。
【請求項５】
前記バスラインは、ＳＣＬ信号を伝送するＳＣＬバスラインとＳＤＡ信号を伝送するＳＤＡバスラインとからなるＩＩＣバスラインであることを特徴とする請求項１ないし請求項４のいずれかに記載の高周波受信器。
【請求項６】
前記接続素子は、０オームチップ抵抗であることを特徴とする請求項３ないし請求項５のいずれかに記載の高周波受信器。
【発明の詳細な説明】
【技術分野】
【０００１】
本発明は、制御用ＩＣに接続された制御信号用のバスラインを介して制御される高周波受信器に関する。
【背景技術】
【０００２】
従来、高周波受信器として、制御用ＩＣからバスラインを介してチューナ用ＩＣに制御信号を入力しており、制御用ＩＣ側からバスラインに混入するノイズ成分を接地用のコンデンサにより除去するものが知られている（例えば、特許文献１参照）。このような高周波受信器は、図５に示すように、制御用ＩＣ３２にＳＣＬ信号用のＳＣＬバスライン３４およびＳＤＡ信号用のＳＤＡバスライン３５によりパラレルに接続されたチューナ用ＩＣ３１を備え、ＳＣＬバスライン３４およびＳＤＡバスライン３５にはそれぞれ接地用のバイパスコンデンサＣ５、Ｃ６が接続されている。
【０００３】
ＳＣＬ信号およびＳＤＡ信号は、制御用ＩＣ３２から矩形波としてＳＣＬバスライン３４およびＳＤＡバスライン３５に出力され、ＳＣＬバスライン３４およびＳＤＡバスライン３５に接続されたバイパスコンデンサＣ５、Ｃ６によってノイズ成分が除去されてチューナ用ＩＣ３１に入力される。チューナ用ＩＣ３１は、入力されたＳＣＬ信号およびＳＤＡ信号に応じて、チューニング電圧を変化させて、アンテナ素子３３を介して受信した高周波信号から同調周波数成分を取り出している。
【特許文献１】特開平１１−２３４１５８号公報
【発明の開示】
【発明が解決しようとする課題】
【０００４】
しかしながら、上記した高周波受信器においては、ＳＣＬ信号およびＳＤＡ信号からノイズ成分を除去するためにバイパスコンデンサＣ５、Ｃ６を用いているが、小容量のバイパスコンデンサを用いた場合にはノイズ成分を確実に除去することができなかった。この問題を解決するために、大容量のバイパスコンデンサを用いることも考えられるが、大容量のコンデンサを用いるとＳＣＬ信号およびＳＤＡ信号の信号波形が鈍り、チューナ用ＩＣ３１の誤動作を招くおそれがあった。
【０００５】
本発明は、かかる点に鑑みてなされたものであり、制御用ＩＣからバスラインに混入するノイズ成分を除去すると共に、正確な制御信号を伝送することができ、誤動作を無くした高周波受信器を提供することを目的とする。
【課題を解決するための手段】
【０００６】
本発明の高周波受信器は、回路基板上にパターンで形成された制御信号用のバスラインを介して制御される高周波受信器であって、前記バスラインに混入するノイズ成分に対してインピーダンスの低い低インピーダンスラインが前記回路基板上にパターンで形成され、前記低インピーダンスラインと前記バスラインとを所定の間隔を空けて交差させて、前記低インピーダンスラインと前記バスラインとの交差部分に寄生容量を形成することを特徴とする。
【０００７】
この構成によれば、バスラインに混入するノイズ成分に対してインピーダンスの低い低インピーダンスラインとバスラインとが所定の間隔を空けて交差し、寄生容量を形成するため、バスラインに混入したノイズ成分をバスラインから低インピーダンスラインに乗り移らせてバスラインからノイズ成分を除去することができる。
また、制御信号からノイズ成分を除去するために大容量のコンデンサを用いることがないため、制御信号の信号波形を鈍らせることなく正確な制御信号を伝送することができ、誤動作を防止することができる。
【０００８】
また本発明は、上記高周波受信器において、前記低インピーダンスラインは、前記回路基板のグランドパターン又は高周波的に接地されたパターンであることを特徴とする。
【０００９】
この構成によれば、バスラインに混入したノイズ成分をグランドパターン又は高周波的に接地されたパターンに乗り移らせてバスラインからノイズ成分を除去することができる。
【００１０】
また本発明は、上記高周波受信器において、前記バスラインを構成するパターンの一部が切断されており、前記バスラインの切断箇所に前記低インピーダンスラインが交差し、前記低インピーダンスラインを跨いだ状態で前記バスラインの切断箇所を接続素子で接続したことを特徴とする。
【００１１】
この構成によれば、バスラインの切断箇所を接続する接続素子と低インピーダンスラインとにより接続素子と低インピーダンスラインとの交差部分に寄生容量を形成することができる。
【００１２】
また本発明は、上記高周波受信器において、前記低インピーダンスラインは、バイパスコンデンサを介してグランドに接続されている電源ラインパターンであることを特徴とする。
【００１３】
この構成によれば、電源ラインパターンにより低インピーダンスラインを構成することができ、電源ラインパターンに乗り移った制御信号のノイズ成分をバイパスコンデンサにより除去することができる。
【００１４】
また本発明は、上記高周波受信器において、前記バスラインは、ＳＣＬ信号を伝送するＳＣＬバスラインとＳＤＡ信号を伝送するＳＤＡバスラインとからなるＩＩＣバスラインであることを特徴とする。
【００１５】
この構成によれば、ＳＣＬバスラインおよびＳＤＡバスラインに伝送されるＳＣＬ信号およびＳＤＡ信号からノイズ成分を除去すると共に、ＳＣＬ信号およびＳＤＡ信号を正確に伝送することができる。
【００１６】
また本発明は、上記高周波受信器において、前記接続素子は、０オームチップ抵抗であることを特徴とする。
【００１７】
この構成によれば、大きな電圧降下をともなうことなくバスラインの切断されたパターン同士を接続することができる。
【発明の効果】
【００１８】
本発明によれば、制御用ＩＣからバスラインに混入するノイズ成分を除去すると共に、正確な制御信号を伝送することができ、誤動作を防止することができる。
【発明を実施するための最良の形態】
【００１９】
以下、本発明の実施の形態について添付図面を参照して詳細に説明する。図１は、本発明の実施の形態に係るチューナ装置の全体模式図である。図２は、本発明の実施の形態に係るバスラインと電源ラインとの交差部分の模式図である。
【００２０】
図１に示すように、チューナ装置１は、高周波受信器２と、高周波受信器２に接続された制御用ＩＣ５とから構成されている。高周波受信器２は、回路基板上に実装され、高周波信号を受信するアンテナ素子４と、アンテナ素子４により受信された高周波信号から同調周波数成分を取り出すチューナ用ＩＣ３とを備えている。また、チューナ用ＩＣ３には、導体パターンで形成されたＳＣＬ信号用のＳＣＬバスライン１１およびＳＤＡ信号用のＳＤＡバスライン１２の一端がそれぞれ接続されており、ＳＣＬバスライン１１の他端にはＳＣＬ端子１４が形成され、ＳＤＡバスライン１２の他端にはＳＤＡ端子１５が形成されている。
【００２１】
また、回路基板上にはＳＣＬバスライン１１およびＳＤＡバスライン１２に対して垂直に交差する電源ライン１７が導体パターンにより形成されており、電源ライン１７とグランドとの間には、一対のバイパスコンデンサＣ１、Ｃ２が設けられている。図２に示すように、ＳＣＬバスライン１１およびＳＤＡバスライン１２は、交差部分で電源ライン１７と直接接続してＤＣ的にショートしないように導体パターンの一部が切り離されて構成されており、この切り離された導体パターン同士は、電源ライン１７を跨ぐように設けられたジャンパ抵抗Ｒ１、Ｒ２により接続されている。このジャンパ抵抗Ｒ１、Ｒ２は０オームチップ抵抗で構成されており、大きな電圧降下をともなうことなく導体パターンを接続できるようになっている。
【００２２】
図１に戻り、高周波受信器２のＳＣＬ端子１４およびＳＤＡ端子１５には、制御用ＩＣ５に接続されたＳＣＬバスライン２１およびＳＤＡバスライン２２が接続され、ＳＣＬバスライン１１、２１およびＳＤＡバスライン１２、２２によりチューナ用ＩＣ３と制御用ＩＣ５とがパラレルに接続されている。制御用ＩＣ５からチューナ用ＩＣ３にＳＣＬバスライン１１、２１を介してＳＣＬ信号が伝送され、ＳＤＡバスライン１２、２２を介してＳＤＡ信号が伝送される。
【００２３】
次に、図３を参照して高周波受信器の回路構成について詳細に説明する。図３は、高周波受信器の回路基板の部分拡大図である。なお、図３においては、図１に示した電源ラインに接続された一対のバイパスコンデンサのうち１つのみ図示している。
【００２４】
図３に示すように、回路基板２３上にはＳＣＬ端子１４から図示しないチューナ用ＩＣ３に向かって延在するＳＣＬバスライン１１と、ＳＤＡ端子１５から図示しないチューナ用ＩＣ３に向かって延在するＳＤＡバスライン１２と、ＳＣＬバスライン１１およびＳＤＡバスライン１２を横切るように延在する電源ライン１７と、回路基板の縁側に延在するグランドパターン１９とがそれぞれ導体パターンにより形成されている。
【００２５】
ＳＤＡバスライン１２は、ジャンパ抵抗Ｒ２と、電圧調整用の抵抗Ｒ５とを有して構成されている。ジャンパ抵抗Ｒ２は、電源ライン１７を跨いでＳＤＡバスライン１２の導体パターンを接続しており、このジャンパ抵抗Ｒ１と電源ライン１７とが上下に間隔を空けて交差することで寄生容量を形成している。電圧調整用の抵抗Ｒ５は、ＳＤＡバスライン１２に伝送されるＳＤＡ信号の信号電圧を調整し、チューナ用ＩＣ３が受信可能な電圧に合わせている。また、ＳＤＡバスライン１２は、一部が分岐して形成され、この分岐した部分がバイパスコンデンサＣ３を介してグランドパターン１９に接続されている。なお、バイパスコンデンサＣ３は矩形波を鈍らせない程度の小容量（５０ｐＦ以下）のものであることが好ましい。
【００２６】
ＳＣＬバスライン１１は、ジャンパ抵抗Ｒ１、Ｒ３と、電圧調整用の抵抗Ｒ４とを有して構成されている。ジャンパ抵抗Ｒ１は、電源ライン１７を跨いでＳＣＬバスライン１１の導体パターンを接続しており、このジャンパ抵抗Ｒ１と電源ライン１７とが上下に間隔を空けて交差することで寄生容量を形成している。ジャンパ抵抗Ｒ３は、ＳＤＡバスライン１２を跨いでＳＣＬバスライン１１の導体パターンを接続しており、ＳＤＡバスライン１２とＳＣＬバスライン１１とが交差されている。
【００２７】
電圧調整用の抵抗Ｒ４は、ＳＣＬバスライン１１に伝送されるＳＣＬ信号の信号電圧を調整し、チューナ用ＩＣ３が受信可能な電圧に合わせている。また、ＳＣＬバスライン１１の途中部分には、ＳＣＬバスライン１１を分岐するようにバイパスコンデンサＣ４が設けられ、ＳＣＬバスライン１１をグランドパターン１９に接続している。なお、バイパスコンデンサＣ４は矩形波を鈍らせない程度の小容量（５０ｐＦ以下）のものであることが好ましい。
【００２８】
電源ライン１７は、ＳＤＡバスライン１２のジャンパ抵抗Ｒ２およびＳＣＬバスライン１１のジャンパ抵抗Ｒ１の下方をくぐってＳＤＡバスライン１２およびＳＣＬバスライン１１を横切るように延在している。また、電源ライン１７の途中部分には、電源ライン１７を分岐するようにバイパスコンデンサＣ１が設けられ、電源ライン１７を高周波的にグランドパターン１９に接続している。電源ライン１７は、制御用ＩＣ５からＳＣＬバスライン１１およびＳＤＡバスライン１２に混入するノイズ成分に対して低インピーダンスとなっており、ＳＤＡバスライン１２およびＳＣＬバスライン１１と電源ライン１７の交差部分においてＳＤＡ信号およびＳＣＬ信号からノイズ成分が乗り移られるよう構成されている。
【００２９】
次に、図４を参照して、高周波受信器の動作について説明する。なお、図４においては、ＳＣＬ信号およびＳＤＡ信号を実線、ノイズ成分を破線で示している。図４に示すように、制御用ＩＣ５からＳＣＬバスライン１１にＳＣＬ信号、ＳＤＡバスライン１２にＳＤＡ信号がそれぞれ入力されると、各バスライン１１、１２と電源ライン１７との交差部分において各バスライン１１、１２に混入したノイズ成分が容量結合している電源ライン１７に乗り移される。
【００３０】
電源ライン１７に乗り移ったノイズ成分は、電源ライン１７に接続されたバイパスコンデンサＣ１、Ｃ２により除去される。一方、ノイズ成分が除去されたＳＣＬ信号およびＳＤＡ信号は、そのまま各バスライン１１、１２に伝送されてチューナ用ＩＣ３に入力される。チューナ用ＩＣ３は、入力されたＳＣＬ信号およびＳＤＡ信号に応じて、チューニング電圧を変化させて、アンテナ素子４を介して受信した高周波信号から同調周波数成分を取り出している。
【００３１】
以上のように、本実施の形態に係る高周波受信器によれば、バスライン１１、１２に混入したノイズ成分に対して低インピーダンスな電源ライン１７とＳＣＬバスライン１１およびＳＤＡバスライン１２とが所定の間隔を空けて交差し、寄生容量を形成しているため、バスラインに混入したノイズ成分をＳＣＬバスライン１１およびＳＤＡバスライン１２から電源ライン１７に乗り移らせてノイズ成分を除去することができる。
また、ＳＣＬ信号およびＳＤＡ信号からノイズ成分を除去するために大容量のコンデンサを用いることがないため、ＳＣＬ信号およびＳＤＡ信号の信号波形を鈍らせることなく正確な制御信号を伝送することができる。
【００３２】
なお、本実施の形態においては、電源ライン１７により低インピーダンスラインを構成したが、電源ライン１７の代わりにグランドパターン１９により低インピーダンスラインを構成するようにしてもよい。
【００３３】
また、本実施の形態においては、チューナ装置１により説明したが、チューナ装置１はあくまで例示であって本発明を限定するものではなく、制御信号用のバスラインを介して制御されるものであれば、チューナ装置１に限らず他の電子機器にも適用可能である。
【００３４】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００３５】
以上説明したように、本発明は、制御用ＩＣからバスラインに混入するノイズ成分を除去すると共に、正確な制御信号を伝送することができ、誤動作を防止することができるという効果を有し、特に制御用ＩＣに接続された制御信号用のバスラインを介して制御される高周波受信器に有用である。
【図面の簡単な説明】
【００３６】
【図１】本発明に係る高周波受信器の実施の形態を示す図であり、チューナ装置の全体模式図である。
【図２】本発明に係る高周波受信器の実施の形態を示す図であり、バスラインと電源ラインとの交差部分の模式図である。
【図３】本発明に係る高周波受信器の実施の形態を示す図であり、高周波受信器の回路基板の部分拡大図である。
【図４】本発明に係る高周波受信器の実施の形態を示す図であり、高周波受信器の動作説明図である。
【図５】本発明に係る高周波受信器の従来例を示す図である。
【符号の説明】
【００３７】
１  チューナ装置
２  高周波受信器
３  チューナ用ＩＣ
４  アンテナ素子
５  制御用ＩＣ
１１  ＳＣＬバスライン（バスライン）
１２  ＳＤＡバスライン（バスライン）
１４  ＳＣＬ端子
１５  ＳＤＡ端子
１７  電源ライン（低インピーダンスライン）
１９  グランドパターン
２３  回路基板
Ｒ１、Ｒ２  ジャンパ抵抗（０オームチップ抵抗）
Ｃ１、Ｃ２  バイパスコンデンサ
【図１】
2010034627.tif 000003
【図２】
2010034627.tif 000004
【図３】
2010034627.tif 000005
【図４】
2010034627.tif 000006
【図５】
2010034627.tif 000007